(57)【特許請求の範囲】
【請求項１】
映像音声信号を記録する記録装置であって、
映像音声信号を入力する入力手段と、該入力した映像音声信号のビットレートを該ビットレートよりも低いビットレートに変換する変換手段と、前記入力手段により入力された変換前の映像音声信号と前記変換手段により変換された変換後の映像音声信号とを暗号化する暗号化手段と、該暗号化した変換前後の映像音声信号と該変換前後の映像音声信号に共通の利用に必要な情報とを異なる領域に記録する記録手段と、該記録した変換後の映像音声信号を復号する復号手段とを備え、
前記映像音声信号の利用に必要な情報は、前記暗号化手段により暗号化された映像音声信号の復号に必要な情報と、前記映像音声信号に係わる利用制御情報とを含み、
前記復号手段により復号された変換後の映像音声信号を別の記録装置にコピーし、前記映像音声信号の利用に必要な情報を前記別の記録装置の所定のセキュア領域にムーブするようにしたことを特徴とする記録装置。
【請求項２】
映像音声信号を記録する記録装置であって、
映像音声信号を入力する入力手段と、該入力した映像音声信号のビットレートを該ビットレートよりも低いビットレートに変換する変換手段と、前記入力手段により入力された変換前の映像音声信号と前記変換手段により変換された変換後の映像音声信号とを暗号化する暗号化手段と、該暗号化した変換前後の映像音声信号と該変換前後の映像音声信号に共通の利用に必要な情報とを異なる領域に記録する記録手段と、該記録した変換後の映像音声信号を復号する復号手段とを備え、
前記映像音声信号の利用に必要な情報は、前記暗号化手段により暗号化された映像音声信号の復号鍵と、前記映像音声信号に係わる利用制御情報とを含み、
前記復号手段により復号された変換後の映像音声信号を別の記録装置にコピーし、前記映像音声信号の復号鍵を暗号化して暗号化復号鍵として前記別の記録装置にムーブし、前記映像音声信号に係わる利用制御情報を前記別の記録装置にムーブするようにしたことを特徴とする記録装置。
【請求項３】
請求項１又は２に記載の記録装置において、前記入力手段は、コピー制御信号が重畳された放送データを受信するチューナであることを特徴とする記録装置。
【請求項４】
請求項１又は２に記載の記録装置において、前記入力手段は、映像音声信号と該映像音声信号の利用に必要な情報が記録された記録媒体を着脱可能に装着する外部インターフェースであることを特徴とする記録装置。
【請求項５】
請求項１又は２に記載の記録装置において、前記別の記録装置は着脱可能な記録媒体であり、前記記録装置は前記記録媒体を着脱可能に装着するための外部インターフェースを備えていることを特徴とする記録装置。
【請求項６】
請求項１乃至５のいずれか１に記載の記録装置において、前記記録装置及び前記別の記録装置は、前記映像音声信号の再生開始位置情報を記録可能とし、
前記記録装置は、前記映像音声信号を前記別の記録装置にコピーする際に、前記再生開始位置情報もコピーすることを特徴とする記録装置。
【請求項７】
請求項１乃至６のいずれか１に記載の記録装置において、前記記録手段は、前記別の記録装置に前記映像音声信号をコピーする際の変換条件を記録することを特徴とする記録装置。
【請求項８】
映像音声信号を記録する記録装置による記録方法であって、
映像音声信号を入力するステップと、該入力した映像音声信号のビットレートを該ビットレートよりも低いビットレートに変換するステップと、前記入力された変換前の映像音声信号と前記変換された変換後の映像音声信号とを暗号化するステップと、該暗号化した変換前後の映像音声信号と該変換前後の映像音声信号に共通の利用に必要な情報とを異なる領域に記録するステップと、該記録した変換後の映像音声信号を復号するステップと、該復号した変換後の映像音声信号を別の記録装置にコピーするステップと、前記映像音声信号の利用に必要な情報を前記別の記録装置の所定のセキュア領域にムーブするステップとを有することを特徴とする記録方法。
【発明の詳細な説明】
【技術分野】
【０００１】
本発明は、記録装置及び方法、より詳細には、デジタル放送などコピー制御情報を含むストリームを記録するための装置に関し、記録媒体に記録されたストリームを、別の記録媒体に移動することのできる装置及びそのための方法に関する。
【背景技術】
【０００２】
デジタルデータの著作権保護のため、デジタルデータにコピー制御情報を付加することが行われている。このコピー制御情報は、例えば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ、例えば、非特許文献１参照）では、ストリームと同時に伝送されるＣＣＩ（Ｃｏｐｙ  Ｃｏｎｔｒｏｌ  Ｉｎｆｏｍａｔｉｏｎ）またはパケットヘッダに含まれるＥＭＩ（Ｅｎｃｒｙｐｔｉｏｎ  Ｍｏｄｅ  Ｉｎｄｉｃａｔｏｒ）へ２ビットの情報として記録されている。その２ビットの情報により、以下の４種類のコピー制御が指定される。すなわち、Ｃｏｐｙ−ｆｒｅｅ（制約条件なしにコピー可）、Ｎｏ−ｍｏｒｅ−ｃｏｐｉｅｓ（再コピー禁止）、Ｃｏｐｙ−ｏｎｅ−ｇｅｎｅｒａｔｉｏｎ（１世代のみコピー可）、Ｃｏｐｙ  ｎｅｖｅｒ（コピー禁止）である。【０００３】
Ｃｏｐｙ−ｆｒｅｅが指定されたストリームは、記録が可能である。また、Ｃｏｐｙ−ｏｎｅ−ｇｅｎｅｒａｔｉｏｎが指定されたストリームも、ストリームのコピー制御情報をＮｏ−ｍｏｒｅ−ｃｏｐｉｅｓにすることにより、記録が可能となる。また、Ｎｏ−ｍｏｒｅ−ｃｏｐｉｅｓやＣｏｐｙ  ｎｅｖｅｒが指定されたストリームは、記録が不可能である。【０００４】
また、ＢＳデジタル放送／ＣＳデジタル放送においても同様の運用がなされている（例えば、非特許文献２参照）。ＣＣＩまたはＥＭＩに相当するものは、ストリームと同時に伝送されるデジタルコピー制御記述子に含まれるｄｉｇｉｔａｌ  ｒｅｃｏｒｄｉｎｇ  ｃｏｎｔｒｏｌ  ｄａｔａである。ｄｉｇｉｔａｌ  ｒｅｃｏｒｄｉｎｇ  ｃｏｎｔｒｏｌ  ｄａｔａは２ビットのデータであって、その値により「制約条件なしにコピー可」，「１世代のみコピー可」，「コピー禁止」が指定される。なお、放送において「再コピー禁止」に相当するパターンは規定されておらず、その場合は「コピー禁止」と解釈される。【０００５】
また、例えばＣＰＲＭ（Ｃｏｎｔｅｎｔ  Ｐｒｏｔｅｃｔｉｏｎ  ｆｏｒ  Ｒｅｍｏｖａｂｌｅ  Ｍｅｄｉａ）においては、記録媒体の書き込み不可の領域に記録されたＭＫＢ（Ｍｅｄｉａ  Ｋｅｙ  Ｂｌｏｃｋ）とメディアＩＤ、および記録装置と再生装置に記録されたそれぞれのデバイスキーを用いて、デジタルデータの著作権保護を行っている。【０００６】
図１３は、従来のデジタルデータの著作権保護に関する技術を説明するための図である。図中、記録媒体の書き込み不可の領域には、ＭＫＢとメディアＩＤが記録されている。また、記録装置／再生装置はそれぞれデバイスキーを秘密に保持している。最初に記録時の処理について説明する。記録装置は、（Ａ）において、デバイスキーとＭＫＢよりメディア鍵を生成する。次に（Ｂ）において、メディア鍵とメディアＩＤよりメディアユニーク鍵を生成する。そして、（Ｃ）においてランダムに生成されたタイトル鍵をメディアユニーク鍵を用いて暗号化する。暗号化タイトル鍵は、記録媒体上に記録される。（Ｄ）において、タイトル鍵とＣＣＩから鍵を生成する。ＣＣＩは、暗号化されず、そのまま記録媒体に記録される。（Ｅ）において、（Ｄ）で生成した鍵を用いて、データを暗号化する。暗号化データが記録媒体に記録される。【０００７】
次に、再生時の処理について説明する。再生装置は、（Ａ’）において、デバイスキーとＭＫＢよりメディア鍵を生成する。次に（Ｂ’）において、メディア鍵とメディアＩＤよりメディアユニーク鍵を生成する。そして、（Ｃ’）において記録媒体から読み出した暗号化タイトル鍵をメディアユニーク鍵で復号化し、タイトル鍵を得る。（Ｄ’）において、タイトル鍵と記録媒体上のＣＣＩから鍵を生成する。（Ｅ’）において、（Ｄ’）で生成した鍵を用いて、記録媒体上の暗号化データを復号化する。以上において、デバイスキーは秘密になっているので、正規の再生装置でないとデータを利用できない。また、暗号化タイトル鍵とＣＣＩは読み書き可能な領域に記録されているので、変更可能であるが、暗号化タイトル鍵とＣＣＩのいずれかまたは両方を不正に書き換えると（Ｄ’）で得られる鍵が不正なものになるので暗号化データを利用できなくなる。
【０００８】
一方で、携帯端末の進化に伴い、映像データを携帯端末に記録し、それを屋外で利用することが増えてきている。そのとき、一旦記録装置に記録したものを携帯端末にダビングすることが行われている。【０００９】
また、特許文献１においては、録画した動画を、テレビジョンで鑑賞できるとともに、同一の動画をメモリカードにダビングして、携帯端末でも簡単に鑑賞できる映像音声データ記録再生方法及びその方法を用いたディスク装置を提供するために、以下のようにしている。【００１０】
すなわち、映像音声信号を第１の映像音声フォーマットに圧縮変換した第１の映像音声ファイルと、前記映像音声信号を前記第１の映像音声フォーマットと異なる第２の映像音声フォーマットに圧縮変換した第２の映像音声ファイルとをディスク媒体に記録し、前記第１の映像音声ファイルと前記第２の映像音声ファイルとを、１つのコンテンツとして管理可能な関連付け情報をディスク媒体に記録するように構成している。【００１１】
図１４は、従来のビデオレコーダの構成例を示すブロック図で、ビデオレコーダ１００は、映像音声ファイルを記録するＨＤＤ（ハードディスクドライブ）１０９を内蔵している。このビデオレコーダ１００は、外部から入力されたＴＶ信号を受信する映像音声信号受信手段であるＴＶチューナ１０１と、ＴＶチューナ１０１から出力される映像音声信号をＭＰＥＧ２規格に準拠したフォーマットに変換する第１の信号変換手段であるＭＰＥＧ２エンコーダ１０２と、ＴＶチューナ１０１から出力される映像音声信号をＭＰＥＧ４規格に準拠したフォーマットに変換する第２の信号変換手段であるＭＰＥＧ４エンコーダ１０３と、上記２つのエンコーダにより変換された映像音声ファイルをＨＤＤ１０９に記録するディスク媒体記録手段であるＨＤＤ制御回路１０４とを具備している。【００１２】
また、ビデオレコーダ１００には、ＨＤＤ１０９に記録されたＭＰＥＧ２データをグラフィックス回路１０８で再生可能な信号に変換（伸張）するＭＰＥＧ２デコーダ１０５と、メモリカードに対してデータ記録再生が可能なメモリカード制御回路１０６と、ビデオレコーダ１００における上記各ブロックを制御するＣＰＵ１０７が設けられている。
【非特許文献１】Ｄｉｇｉｔａｌ  Ｔｒａｎｓｍｉｓｓｉｏｎ  Ｃｏｎｔｅｎｔ  Ｐｒｏｔｅｃｔｉｏｎ  Ｓｐｅｃｉｆｉｃａｔｉｏｎ  Ｖｏｌｕｍｅ  １（Ｉｎｆｏｒｍａｔｉｏｎａｌ  Ｖｅｒｓｉｏｎ）
【非特許文献２】ＡＲＩＢ（社団法人  電波産業会）編，「ＢＳ／広帯域ＣＳデジタル放送運用規定、資料番号：ＡＲＩＢ  ＴＲ−Ｂ１５」，２．９版  第８編，平成１６年２月
【特許文献１】特開２００３−１７９８５２号公報
【発明の開示】
【発明が解決しようとする課題】
【００１３】
しかしながら、従来の方法では、コピー制御情報等によりコピー禁止された映像音声信号が考慮されていなかった。記録装置に記録された映像音声信号を携帯端末等で利用する場合には、上記特許文献１にも記載があるように、携帯端末に合わせて、ビットレートや符号化形式等を変換して移動（以下、ムーブ）するのが通常である。なぜなら、映像音声信号はビットレートが大きいため、そのままのビットレートでは携帯端末やメモリカードの限られた記録領域には、短い時間分しかムーブできないからである。例えば、ＢＳデジタル放送のハイビジョン放送のストリームのビットレートは最大で２４Ｍｂｐｓ程度なので、そのままのビットレートでは５１２Ｍｂｙｔｅのメモリカードでも、５１２Ｍｂｙｔｅ／２４Ｍｂｐｓ≒１７１秒程度しか記録できない。また、記録量が大きいと、読み書き時の消費電力が大きくなるため、携帯端末には適さない。【００１４】
一度ビデオレコーダから携帯端末やメモリカードにムーブした後、再びビデオレコーダで映像音声信号を利用する場合には、ムーブした時点でビデオレコーダから元の映像音声信号が消去されているため、携帯端末やメモリカードからビデオレコーダに映像音声信号を再びムーブする必要がある。しかしながら、携帯端末やメモリカードにムーブした時点でビットレートや符号化形式等を変換しているため、映像音声信号の品質が劣化してしまっているという課題があった。【００１５】
図１５は、従来の記録装置により他の記録装置にデータをムーブする際の処理の流れを説明するための図である。図１５（Ａ）において、１世代のみコピー可のデータ（以下、データＣ）を記録装置に記録する。このときデータＣは、再コピー禁止である。これを図１５（Ｂ）において、別の記録装置にビットレートを落としてダビングする。再コピー禁止なのでダビング時は、コピー後に元を消去するムーブとなる。よって、図１５（Ｃ）に示すように、元の記録装置からデータＣは消去される。別の記録装置にはビットレートを落とされ劣化したデータＣ’が記録される。なお、データＣ′も再コピー禁止のデータである。そして、図１５（Ｄ）において、データＣ′を元の記録装置にムーブする。元の記録装置には劣化したデータＣ′が記録される。このとき、データＣ′は再コピー禁止であるから別の記録装置からデータＣ′は消去される。以上簡単に説明したように、ムーブを繰り返して、元の記録装置にデータを戻しても、ビットレートを落としたことによって、データが劣化してしまう。【００１６】
また、ＢＳデジタル放送／ＣＳデジタル放送においては、「１世代のみコピー可」の時、複数のコピーを生成してはならない（非特許文献１参照）ため、特許文献１に記載の方法は使えなかった。また、他の映像音声信号において、「１世代のみコピー可」の時に複数のコピーの生成が可能な場合にも、最初の記録時に複数のコピーを生成していない場合には、上述のムーブに関する課題が発生する。また、記録媒体に当初から「コピー禁止」や「再コピー禁止」で記録されている映像信号データに関しても同様の課題がある。【００１７】
本発明は、上述のごとき実情に鑑みてなされたものであり、映像音声信号及びその映像音声信号の利用に必要な情報を記録した記録装置において、別の記録装置で映像音声信号を利用する際に、元の映像音声信号は残したまま、そのビットレートや符号化形式を変換した映像音声信号を別の記録装置にコピーし、映像音声信号の利用に必要な情報のみを別の記録装置との間でムーブできるようにすること、を目的としてなされたものである。
【課題を解決するための手段】
【００１９】
第１の技術手段は、映像音声信号を記録する記録装置であって、映像音声信号を入力する入力手段と、該入力した映像音声信号のビットレートを該ビットレートよりも低いビットレートに変換する変換手段と、前記入力手段により入力された変換前の映像音声信号と前記変換手段により変換された変換後の映像音声信号とを暗号化する暗号化手段と、該暗号化した変換前後の映像音声信号と該変換前後の映像音声信号に共通の利用に必要な情報とを異なる領域に記録する記録手段と、該記録した変換後の映像音声信号を復号する復号手段とを備え、前記映像音声信号の利用に必要な情報は、前記暗号化手段により暗号化された映像音声信号の復号に必要な情報と、前記映像音声信号に係わる利用制御情報とを含み、前記復号手段により復号された変換後の映像音声信号を別の記録装置にコピーし、前記映像音声信号の利用に必要な情報を前記別の記録装置の所定のセキュア領域にムーブするようにしたことを特徴としたものである。
【００２１】
第２の技術手段は、映像音声信号を記録する記録装置であって、映像音声信号を入力する入力手段と、該入力した映像音声信号のビットレートを該ビットレートよりも低いビットレートに変換する変換手段と、前記入力手段により入力された変換前の映像音声信号と前記変換手段により変換された変換後の映像音声信号とを暗号化する暗号化手段と、該暗号化した変換前後の映像音声信号と該変換前後の映像音声信号に共通の利用に必要な情報とを異なる領域に記録する記録手段と、該記録した変換後の映像音声信号を復号する復号手段とを備え、前記映像音声信号の利用に必要な情報は、前記暗号化手段により暗号化された映像音声信号の復号鍵と、前記映像音声信号に係わる利用制御情報とを含み、前記復号手段により復号された変換後の映像音声信号を別の記録装置にコピーし、前記映像音声信号の復号鍵を暗号化して暗号化復号鍵として前記別の記録装置にムーブし、前記映像音声信号に係わる利用制御情報を前記別の記録装置にムーブするようにしたことを特徴としたものである。
【００２２】
第３の技術手段は、第１又は第２の技術手段において、前記入力手段は、コピー制御信号が重畳された放送データを受信するチューナであることを特徴としたものである。
【００２３】
第４の技術手段は、第１又は第２の技術手段において、前記入力手段は、映像音声信号と該映像音声信号の利用に必要な情報が記録された記録媒体を着脱可能に装着する外部インターフェースであることを特徴としたものである。
【００２４】
第５の技術手段は、第１又は第２の技術手段において、前記別の記録装置は着脱可能な記録媒体であり、前記記録装置は前記記録媒体を着脱可能に装着するための外部インターフェースを備えていることを特徴としたものである。
【００２５】
第６の技術手段は、第１乃至第５のいずれか１の技術手段において、前記記録装置及び前記別の記録装置は、前記映像音声信号の再生開始位置情報を記録可能とし、前記記録装置は、前記映像音声信号を前記別の記録装置にコピーする際に、前記再生開始位置情報もコピーすることを特徴としたものである。
【００２６】
第７の技術手段は、第１乃至第６のいずれか１の技術手段において、前記記録手段は、前記別の記録装置に前記映像音声信号をコピーする際の変換条件を記録することを特徴としたものである。
【００２８】
第８の技術手段は、映像音声信号を記録する記録装置による記録方法であって、映像音声信号を入力するステップと、該入力した映像音声信号のビットレートを該ビットレートよりも低いビットレートに変換するステップと、前記入力された変換前の映像音声信号と前記変換された変換後の映像音声信号とを暗号化するステップと、該暗号化した変換前後の映像音声信号と該変換前後の映像音声信号に共通の利用に必要な情報とを異なる領域に記録するステップと、該記録した変換後の映像音声信号を復号するステップと、該復号した変換後の映像音声信号を別の記録装置にコピーするステップと、前記映像音声信号の利用に必要な情報を前記別の記録装置の所定のセキュア領域にムーブするステップとを有することを特徴としたものである。
【発明の効果】
【００２９】
本発明によれば、映像音声信号及びその映像音声信号の利用に必要な情報を記録した記録装置において、別の記録装置で映像音声信号を利用する際に、元の映像音声信号は残したまま、そのビットレートや符号化形式等を変換した映像音声信号を別の記録装置にコピーし、映像音声信号の利用に必要な情報のみを別の記録装置との間でムーブできるため、映像音声信号を別の記録装置で利用した後に、映像音声信号の利用に必要な情報を別の記録装置から元の記録装置にムーブしなおして、映像音声信号を劣化させることなく利用することができる。
【図面の簡単な説明】
【００３０】
【図１】本発明の一実施形態に係る記録装置の基本的な構成例を示すブロック図である。
【図２】本発明の第１の実施形態における映像音声信号とライセンスの流れの一例を説明するための図である。
【図３】本発明の第１の実施形態に係る記録装置の処理手順の一例を説明するためのフロー図である。
【図４】本発明の第１の実施形態に係る記録装置の処理手順の他の例を説明するためのフロー図である。
【図５】本発明の第１の実施形態に係る記録装置の処理手順の他の例を説明するためのフロー図である。
【図６】本発明の第１の実施形態に係る別の記録装置の基本的な構成例を示すブロック図である。
【図７】記録装置から別の記録装置に映像音声信号をムーブするときの手順の一例について説明するためのフロー図である。
【図８】本発明の他の実施形態における暗号化タイトル鍵と暗号化データの一例を示す図である。
【図９】本発明の第２の実施形態に係る記録装置の処理手順の一例を説明するためのフロー図である。
【図１０】本発明の第２の実施形態に係る記録装置の処理手順の他の例を説明するためのフロー図である。
【図１１】本発明の他の実施形態における映像音声信号とライセンスの流れの一例を説明するための図である。
【図１２】本発明の他の実施形態における映像音声信号とライセンスの流れの他の例を説明するための図である。
【図１３】従来のデジタルデータの著作権保護に関する技術を説明するための図である。
【図１４】従来のビデオレコーダの構成例を示すブロック図である。
【図１５】従来の記録装置により他の記録装置にデータをムーブする際の処理の流れを説明するための図である。
【符号の説明】
【００３１】
１，５…操作入力手段、２，６…表示手段、３…ノーマル領域、４…セキュア領域、１０…記録装置、１１，３１…外部入出力Ｉ／Ｆ、１２…入力部、１３，３２…ユーザＩ／Ｆ、１４，３３…制御部、１５，３４…暗号化部、１６，３５…再生部、１７，３６…バッファ、１８…ライセンス生成部、１９…変換部、２０，３７…記録部、３０…別の記録装置、１００…ビデオレコーダ、１０１…ＴＶチューナ、１０２…ＭＰＥＧ２エンコーダ、１０３…ＭＰＥＧ４エンコーダ、１０４…ＨＤＤ制御回路，１０５…ＭＰＥＧ２デコーダ、１０６…メモリカード制御回路、１０７…ＣＰＵ、１０８…グラフィックス回路、１０９…ハードディスクドライブ（ＨＤＤ）。
【発明を実施するための最良の形態】
【００３２】
本発明における一つの実施形態において、記録媒体はノーマル領域とセキュア領域を持つことが好ましい。セキュア領域は、記録媒体のＴＲＭ（Ｔａｍｐｅｒ  Ｒｅｓｉｓｔａｎｔ  Ｍｏｄｕｌｅ）領域に設けられる。セキュア領域は読み書きに特別な手順が必要で、利用者やアプリケーションが自由には参照したり／変更したりできない領域である。ノーマル領域は利用者やアプリケーションが自由に参照したり変更したりできる領域である。【００３３】
ここで、ライセンスとは、主にコンテンツ（主に映像音声信号）利用に必要な情報とコンテンツの利用条件等を含む情報であって、コンテンツ利用に必要な情報としては、例えば、コンテンツの符号化方式／暗号化方式／共通鍵方式で暗号化されたコンテンツを復号するためのコンテンツの暗号鍵などが該当する。また、コンテンツの利用条件としては、前述のコピー制御情報の他に、再生可能回数／移動（ムーブ）可能回数／複製（コピー）可能回数／利用可能期間／年齢視聴制限等の情報が該当する。【００３４】
これらのセキュア領域を持つハードディスクとしては、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）が検討されている。ｉＶＤＲはリムーバブルな記録媒体であって、暗号化したコンテンツをノーマル領域に、ライセンスをセキュアな領域に記録可能である。なお、記録媒体に映像を記録したり再生したりする手順に関しては、既存のハードディスクレコーダ等と同様である。また、セキュアＭＭＣ（Ｍｕｌｔｉ  Ｍｅｄｉａ  Ｃａｒｄ）などのメモリカードもセキュア領域を持った記録媒体として使用可能である。【００３５】
また、別の実施形態においては、タイトル鍵と利用制御情報を用いてコンテンツを暗号化し、記録媒体には暗号化したタイトル鍵（暗号化タイトル鍵）と利用制御情報と暗号化したコンテンツを記録するようにしても良い。このような暗号化タイトル鍵とコピー制御情報と暗号化したコンテンツを記録できる記録方式としては、従来技術で説明したＣＰＲＭがある。ＣＰＲＭにおいては、暗号化タイトル鍵と利用制御情報に対応するＣＣＩが書き換え可能な領域に記録され、またタイトル鍵を暗号化するのに必要な情報が、書き換え不可な領域に記録されていることが、ライセンスを用いた実施形態と大きく異なる。【００３６】
＜第１の実施形態＞
図１は、本発明の一実施形態に係る記録装置の基本的な構成例を示すブロック図で、図中、１０は記録装置で、該記録装置１０は、別の記録装置（以下、しばしば別の記録媒体という）と接続するための外部入出力インタフェース（Ｉ／Ｆ）１１，コンテンツとして映像音声信号を入力するための入力部１２，操作入力手段１からの操作信号を入力するユーザＩ／Ｆ１３，記録装置１０を制御するＣＰＵやメモリ等を備えた制御部１４，映像音声信号を暗号化／復号化する暗号化部１５，映像音声信号を再生する再生部１６，映像音声信号を一時的に保持するバッファ１７，入力部１２からの映像音声信号等からライセンスを生成するライセンス生成部１８，映像音声信号を変換する変換部１９，映像音声信号やライセンスを記録する記録部２０から構成されている。また、操作入力手段１及び表示手段２は、記録装置１０と一体または外部接続されて配置される。尚、図中、点線の矢印は制御信号の流れ、実線の矢印はデータ信号の流れを示すものとする。【００３７】
上記各部についてより詳細に説明する。外部入出力Ｉ／Ｆ１１は、記録装置１０と図示しない別の記録装置を接続するためのインタフェースである。この外部入出力Ｉ／Ｆ１１は、ＩＥＥＥ１３９４やＵＳＢ（Ｕｎｉｖｅｒｓａｌ  Ｓｅｒｉａｌ  Ｂｕｓ）などのコネクタ、または別の記録媒体がリムーバブル記録媒体の場合は、リムーバブル記録媒体の着脱機構とデータの読み書きを行うインタフェースも保持している。入力部１２は、映像音声信号を入力するための手段であって、例えば、デジタル放送信号あるいはアナログ放送信号を受信するチューナや、ＩＥＥＥ１３９４インタフェースなどの入力手段であってもよい。【００３８】
ユーザＩ／Ｆ１３は、デジタル放送の選局や録画再生動作等の、記録装置１０における動作の選択を行う部分である。制御部１４は、ユーザＩ／Ｆ１３からの入力に基づき、各構成部の制御を行う部分である。暗号化部１５は、映像音声信号の暗号化／復号化を行う部分である。再生部１６は、映像音声信号の再生を行う部分である。バッファ１７は、受信／再生／変換のためのデータを一時的にためるためのバッファである。操作入力手段１は、利用者が記録装置１０を操作するための手段である。表示手段２は、映像音声信号およびユーザＩ／Ｆ１３により作成されるＯＳＤ（Ｏｎ  Ｓｃｒｅｅｎ  Ｄｉｓｐｌａｙ）を表示するためのものである。ライセンス生成部１８は、入力部１２から入力される映像音声信号に重畳された利用制御情報を抽出し、ライセンスを作成する。【００３９】
変換部１９においては、映像音声信号のビットレートや符号化形式等を変換する。符号化形式の変換とは、例えば、ＭＰＥＧ２で符号化された映像音声信号をＭＰＥＧ４に変換することや、ＰＣＭ（Ｐｕｌｓｅ  Ｃｏｄｅ  Ｍｏｄｕｌａｔｉｏｎ）形式の音声データをＭＰ３（ＭＰＥＧ  Ａｕｄｉｏ  Ｌａｙｅｒ−３）形式に変換するなどである。本実施形態の記録部２０は、ノーマル領域とセキュア領域を保持し、暗号化された映像音声信号はノーマル領域に、ライセンスはセキュア領域にそれぞれ記録される。【００４０】
本実施形態において、別の記録装置として、例えばリムーバブル記録媒体を用いる。外部入出力Ｉ／Ｆ１１における別の記録装置とのデータの読み書きを行うインタフェースとして、本実施形態では、例えばＡＴＡ（ＡＴ  Ａｔｔａｃｈｍｅｎｔ）インタフェースを用いるが、ＵＳＢ（Ｕｎｉｖｅｒｓａｌ  Ｓｅｒｉａｌ  Ｂｕｓ）や、ＩＥＥＥ１３９４などのインタフェースを用いてもよい。また、本実施形態では、入力部１２はデジタル放送信号の受信手段である。別の記録媒体へのデータの読み書きと、デジタル放送信号の入力部１２に関しては、従来のハードディスク内蔵型デジタル放送受信装置と同様である。【００４１】
暗号化部１５は、後述するように共通鍵暗号で、映像音声信号の暗号化／復号化を行う。ここで用いる共通鍵暗号としては、例えば、トリプルＤＥＳ（Ｄａｔａ  Ｅｎｃｒｙｐｔｉｏｎ  Ｓｔａｎｄａｒｄ）や、ＡＥＳ（Ａｄｖａｎｃｅｄ  Ｅｎｃｒｙｐｔｉｏｎ  Ｓｔａｎｄａｒｄ）などが利用可能である。再生部１６は、映像音声信号のデコードを行うデコーダである。【００４２】
操作入力手段１は、典型的には操作リモコンや、記録装置１０に具備されているボタンなどである。表示手段２は、例えば、液晶ディスプレイや、プラズマディスプレイ、ＥＬディスプレイなどである。また、リムーバブル記録媒体は例えばリムーバブルハードディスクである。
【００４３】
図２は、本発明の第１の実施形態における映像音声信号とライセンスの流れの一例を説明するための図で、図中、３は記録媒体のノーマル領域、４は記録媒体のセキュア領域、３′は別の記録媒体のノーマル領域、４′は別の記録媒体のセキュア領域を示す。図２（Ａ）において、一世代のみコピー可の映像音声信号が記録媒体に記録される。このとき、映像音声信号Ｃは記録媒体のノーマル領域３に記録される。また、ライセンスＬはセキュア領域４に記録される。映像音声信号Ｃは再コピー禁止であるから、ライセンスＬには複製可能回数０回／移動可能回数無制限が記録される。【００４４】
図２（Ｂ）において、別の記録媒体に映像音声信号のビットレートや符号化形式を変換してコピーし、またライセンスのムーブを行う。図２（Ｂ）では簡単のため、「レートを落としてムーブ」と記載しているが、本発明における動作は、実際にはこのように、変換後の映像音声信号のコピーおよびライセンスのムーブを示す。変換後の映像音声信号を映像音声信号Ｃ′と記す。また、ライセンスＬも映像音声信号の変更に合わせて変更されることがあるので、変更後のライセンスデータをライセンスＬ′と記す。なお、ライセンスの変更内容は符号化形式やビットレート等の内容である。また、映像音声信号の暗号鍵を変更した場合は、ライセンス中の暗号鍵も変更するが、後に元の記録媒体に戻すことを考えると変更しないのが好ましい。しかし、暗号鍵を変更する場合は、元の記録媒体に戻すときのことを考慮し、映像音声信号Ｃの暗号鍵をライセンスＬ′にも記録しておく。【００４５】
図２（Ｃ）において、別の記録媒体への映像音声信号の変換とコピー及びライセンスのムーブの結果を示す。元の記録媒体には映像音声信号Ｃだけが記録されており、ライセンスＬは消去されている。そのため、元の記録媒体では映像音声信号が利用できない。また、別の記録媒体には、映像音声信号Ｃ′とライセンスＬ′が記録されており、変換後の映像音声信号Ｃ’が利用可能である。そして、図２（Ｄ）において、別の記録媒体から元の記録媒体にライセンスＬ′をムーブする。このとき、別の記録媒体には映像音声信号Ｃ′のみが記録され、ライセンスＬ′は消去されており、映像音声信号Ｃ′は利用できない。なお、別の記録媒体において映像音声信号Ｃ’を利用する予定がない場合は、映像音声信号Ｃ’を消去しても良い。【００４６】
元の記録媒体においては、元々記録されていた映像音声信号ＣとムーブされたライセンスＬ″が記録されている。ライセンスＬ″は別の記録媒体を経由してきたので、利用条件（例えば移動可能回数など）が変わっていることがある。元の記録媒体では映像音声信号Ｃと対応するライセンスＬ″があるので、映像音声信号Ｃを利用することができる。なお、映像音声信号とライセンスの対応付けは、映像音声信号にコンテンツＩＤを付け、ライセンスにライセンスＩＤを付け、映像音声信号は対応するコンテンツＩＤを、ライセンスは対応するコンテンツＩＤを記録するようにする。また、本図のようにライセンスがＬ，Ｌ′，Ｌ″と変更される場合は、変更前の状態に戻せるよう、変更内容を記録しておく。【００４７】
図３は、本発明の第１の実施形態に係る記録装置１０の処理手順の一例を説明するためのフロー図である。本例では記録をおこなっていない通常の視聴状態における処理について説明する。【００４８】
まず、記録装置１０は、入力部１２より映像音声信号を入力する（ステップＳ１）。この映像音声信号は、デジタル放送を選局したＴＳ（Ｔｒａｎｓｐｏｒｔ  Ｓｔｒｅａｍ）またはＰＳ（Ｐｒｏｇｒａｍ  Ｓｔｒｅａｍ）である。選局するチャンネルは、本フローには明示していないが、あらかじめユーザＩ／Ｆ１３を介して、操作入力手段１により利用者によって選択されている。制御部１４はユーザＩ／Ｆ１３からの選局するべきチャンネルの情報を入力部１２に対して入力し、入力部１２ではその情報に基づき選局動作を行う。【００４９】
次に、記録装置１０は、入力部１２からの映像音声信号をバッファ１７に一時的に蓄積し、再生部１６はバッファ１７の映像音声信号を入力する（ステップＳ２）。最後に、再生部１６は映像音声信号のデコード処理を行い、映像信号を表示手段２に出力する（ステップＳ３）。【００５０】
図４は、本発明の第１の実施形態に係る記録装置１０の処理手順の他の例を説明するためのフロー図である。本例では、コピー制御情報により利用制限された映像音声信号を、記録部２０に記録する方法について説明する。尚、図４のフローには図示していないが、入力部１２において、映像音声信号に重畳されたデジタルコピー制御記述子を抽出しておりライセンス生成部１８には、受信している映像音声信号のコピー制御情報が入力されている。【００５１】
まず、入力部１２から映像音声信号を入力する（ステップＳ１１）。本処理は図３に示したステップＳ１と同様な処理である。次に、入力部１２からの映像音声信号をバッファ１７に一時的に蓄積する（ステップＳ１２）。制御部１４は映像音声信号を暗号化するための暗号鍵Ｋｃを生成する。暗号鍵Ｋｃは映像音声信号ごとに作り直される共通鍵暗号の鍵である。生成された暗号鍵Ｋｃは暗号化部１５に設定される。そして、暗号化部１５はバッファ１７の映像音声信号を、暗号鍵Ｋｃで暗号化する（ステップＳ１３）。次に、記録装置１０は、暗号化された映像音声信号をバッファ１７経由で、記録部２０に記録する（ステップＳ１４）。映像音声信号の記録が終わったら、ライセンス生成部１８はコピー制御情報および暗号鍵Ｋｃよりライセンスを生成し（ステップＳ１５）、ライセンスを記録部２０に記録する。なお、図３で説明した手順と組み合わせて、暗号化される前の映像音声信号をバッファ１７から再生部１６に入力することで、記録しながら映像音声信号を視聴することもできる。【００５２】
図５は、本発明の第１の実施形態に係る記録装置１０の処理手順の他の例を説明するためのフロー図である。本例では記録された暗号化映像音声信号を再生する方法について説明する。まず、記録装置１０は、ライセンスを取得する（ステップＳ２１）。次に、記録装置１０は、バッファ１７を介して記録部２０に記録されている暗号化された映像音声信号を取得する（ステップＳ２２）。次に、暗号化部１５においてライセンスに含まれている暗号鍵Ｋｃで復号化処理を行い、バッファ１７に復号結果を書き込む（ステップＳ２３）。バッファ１７の復号化された映像音声信号は再生部１６に送られ（ステップＳ２４）、再生部１６でデコード処理を行い、表示手段２に映像信号を出力する（ステップＳ２５）。【００５３】
図６は、本発明の第１の実施形態に係る別の記録装置の基本的な構成例を示すブロック図で、図中、３０は別の記録装置で、該別の記録装置３０は、記録装置１０と接続するための外部入出力インタフェース（Ｉ／Ｆ）３１，操作入力手段５からの操作信号を入力するユーザＩ／Ｆ３２，別の記録装置３０を制御するＣＰＵやメモリ等を備えた制御部３３，映像音声信号を暗号化／復号化する暗号化部３４，映像音声信号を再生する再生部３５，映像音声信号を一時的に保持するバッファ３６，映像音声信号やライセンスを記録する記録部３７から構成されている。また、操作入力手段５及び表示手段６は、別の記録装置３０と一体または外部接続されて配置される。尚、図中、点線の矢印は制御信号の流れ、実線の矢印はデータ信号の流れを示すものとする。【００５４】
図７は、記録装置１０から別の記録装置３０に映像音声信号をムーブするときの手順の一例について説明するためのフロー図である。まず、記録装置１０は、ライセンスを取得する（ステップＳ３１）。次に、記録装置１０は、バッファ１７を介して記録部２０に記録されている暗号化された映像音声信号を取得する（ステップＳ３２）。次に、暗号化部１５においてライセンスに含まれている暗号鍵Ｋｃで復号化処理を行い、バッファ１７に復号結果を書き込む（ステップＳ３３）。次に、変換部１９にて、ビットレートや符号化方式等の変換を行い、結果をバッファ１７に書き込む（ステップＳ３４）。次に、外部入出力Ｉ／Ｆ１１を介して、別の記録装置３０に変換後の映像音声信号をコピーする（ステップＳ３５）。映像音声信号のコピーが終了したら、同じく外部入出力Ｉ／Ｆ１１を介して、別の記録装置３０にライセンスをムーブする（ステップＳ３６）。別の記録装置３０では、外部入出力Ｉ／Ｆ３１から映像音声信号とライセンスを入力し、バッファ３６を介して記録部３７に、映像音声信号とライセンスを記録する。【００５５】
上記ステップＳ３６について詳細に説明する。ライセンスには、コンテンツの符号化方式／暗号化方式／共通鍵方式で暗号化されたコンテンツを復号するためのコンテンツの暗号鍵や、コピー制御情報／再生可能回数／移動（ムーブ）可能回数／複製（コピー）可能回数／利用可能期間／年齢視聴制限等が記録されている。ライセンスのムーブ時には、これらの情報を適切に変更する。例えば、符号化方式を変更する場合には、符号化方式の情報を書き換える。また、暗号鍵を変更する場合には、暗号鍵の情報を書き換える。また、移動（ムーブ）可能回数に制限がある場合は、それを変更する（５回ムーブ可能なら、４回ムーブ可能に減らすなど）。なお、符号化方式や暗号鍵を変更した場合は、元に戻すことができるように、変更前の符号化方式や暗号鍵を記録部３７にライセンスと対応付けて記録しておく。この場合、符号化方式は、ノーマル領域に格納しても良いが、暗号鍵をノーマル領域に格納すると、映像音声信号が不正に利用可能となる危険があるので、セキュア領域に格納するのが好ましい。
なお、本実施形態では変換部１９は記録装置１０に具備されていたが、別の記録装置に具備するよう構成することも可能である。その場合は、別の記録装置３０において、ビットレートや符号化形式等を変換する。【００５６】
なお、別の記録装置３０における映像音声信号の再生方法は図５に示した手順と同等である。【００５７】
別の記録装置３０で映像音声信号を利用した後に、記録装置１０で利用するときの手順について説明する。記録装置１０には、元の映像音声信号が記録されているので、ライセンスのみムーブすればよい。その手順は、図７に示したステップＳ３１とステップＳ３６だけを実行すればよい。このとき、ステップＳ３６において、ライセンスの符号化方式や暗号鍵を元の状態に戻し、また、移動（ムーブ）可能回数に制限がある場合は、それを変更してからムーブする。以上のようにすることで、記録装置１０にライセンスがムーブできる。記録装置１０においては、図５に示した手順で、劣化していない映像音声信号が利用できる。【００５８】
本実施形態において、記録装置１０と別の記録装置３０とは各外部入出力Ｉ／Ｆを介して接続されていたが、別の記録装置３０としてリムーバブル記録媒体を利用することができる。この場合、図１に示した外部入出力Ｉ／Ｆ１１が、リムーバブル記録媒体の着脱部と読み書き用のＩ／Ｆとなる。この場合、別の記録装置３０は、図６に示した外部入出力Ｉ／Ｆ３１（外部入出力Ｉ／Ｆ１１との接続用）、制御部３３、バッファ３６から基本的に構成され、図６中のそれ以外の構成要素は無くても良い。【００５９】
以上の実施形態においては、映像音声信号の利用制限をライセンスを用いて実現するものを例にとって説明したが、別の実施形態が可能である。例えば、ＣＰＲＭなどを用いて実現するには以下のようにする。通常の記録時は、従来技術のところで説明したように、タイトル鍵とＣＣＩを用いて映像音声信号を暗号化し、記録媒体に暗号化タイトル鍵とＣＣＩと暗号化した映像音声信号を記録する。【００６０】
そして、ムーブする時には、ムーブ先への記録は通常のムーブと同様の処理を行う。すなわち、従来技術で説明した手順で映像音声信号を復号化し、これにビットレートや符号化形式等の変換を行う。そして、第２のタイトル鍵をランダムに生成し、またＣＣＩを必要に応じて変更し、これらを用いて、従来技術で説明した手順で映像音声信号をムーブ先の記録媒体に記録する。すなわち、第２のタイトル鍵をムーブ先のメディアユニーク鍵で暗号化した暗号化タイトル鍵と変更後のＣＣＩがムーブ先の記録媒体に記録されている。【００６１】
ＣＰＲＭ等を用いた本実施形態は、暗号化タイトル鍵と、利用制御情報に対応するＣＣＩとが書き換え可能な領域に記録され、また、タイトル鍵を暗号化するのに必要な情報が、書き換え不可な領域に記録されていることが、ライセンスを用いた実施形態と大きく異なる。【００６２】
本実施形態においては、ムーブ元の映像音声信号は消去せず、第３のタイトル鍵をランダムに生成し、またＣＣＩを必要に応じて変更し、これらを用いて、従来技術で説明した手順で映像音声信号をムーブ元の記録媒体に記録しなおす。第３のタイトル鍵を用いてムーブ元の映像音声信号を記録し直さず、単に暗号化タイトル鍵を消去して映像音声信号を利用不可にするだけでは、以下のような問題が発生する。【００６３】
すなわち、暗号化タイトル鍵は、利用者やアプリケーションが自由に読み書き可能な領域に記録されているので、ムーブ前に値を記録しておき、ムーブ後に記録しなおすことで、利用不可にした映像音声信号が利用可能となってしまう。【００６４】
そこで、上述したように、ムーブ元の映像音声信号は消去せず、第３のタイトル鍵をランダムに生成し、またＣＣＩを必要に応じて変更し、これらを用いて、映像音声信号をムーブ元の記録媒体に記録しなおす。ムーブ元のＣＣＩが変更になった場合は、従来技術と同様に記録媒体にＣＣＩを記録しなおす。ただし、第３のタイトル鍵をムーブ元のメディアユニーク鍵で暗号化した暗号化タイトル鍵をムーブ元の記録媒体には記録せず、その代わりに当該暗号化タイトル鍵を更にムーブ先の記録媒体のメディアユニーク鍵で暗号化した、すなわち二重に暗号化されたタイトル鍵を記録する。この二重に暗号化されたタイトル鍵では、従来技術で説明したように、映像音声信号を利用することができない。
【００６５】
ムーブ元の映像音声信号を利用するのには、ムーブ先のメディアユニーク鍵で前記二重に暗号化されたタイトル鍵を復号化し、暗号化タイトル鍵を生成し、これをムーブ元の記録媒体に記録しなおす。後は、従来技術と同じ手順で、ムーブ元の映像音声信号が利用可能となる。なお、このときは、ムーブ先の映像音声信号を消去したり、または、別のタイトル鍵を生成し、本実施形態と同様にして記録しなおす。【００６６】
図８は、本発明の他の実施形態における暗号化タイトル鍵と暗号化データの一例を示す図である。図８（Ａ）〜図８（Ｄ）に示す記号は以下のように定義される。
Ｋｍａ：ムーブ元の記録媒体のメディアユニーク鍵
Ｋｍｂ：ムーブ先の記録媒体のメディアユニーク鍵
Ｋｔ１：タイトル鍵
Ｋｔ２：第２のタイトル鍵
Ｋｔ３：第３のタイトル鍵
Ｋｔ４：第４のタイトル鍵
Ｃ：元の映像音声信号
Ｃ′：変換後の映像音声信号【００６７】
尚、図８（Ａ）〜図８（Ｄ）において、例えば、図８（Ａ）に示すＫｍａ・Ｋｔ１は、Ｋｔ１（タイトル鍵）をＫｍａ（メディアユニーク鍵）で暗号化したデータ（暗号化タイトル鍵）がムーブ元に記録され、同様に、Ｋｔ１・Ｃは、Ｃ（元の映像音声信号）をＫｔ１（タイトル鍵）で暗号化したデータ（暗号化データ）がムーブ元に記録されていることを意味する。【００６８】
このＣＰＲＭ等での実施形態において、図８（Ａ）はムーブ前の暗号化タイトル鍵と暗号化データの記録状態を示す。すなわち、ムーブ元には、Ｋｔ１（タイトル鍵）をＫｍａ（メディアユニーク鍵）で暗号化した暗号化タイトル鍵と、Ｃ（元の映像音声信号）をＫｔ１（タイトル鍵）で暗号化した暗号化データとが記録され、ムーブ先にはデータがない。【００６９】
図８（Ｂ）はムーブ後の暗号化タイトル鍵と暗号化データの記録状態を示す。すなわち、ムーブ先には、Ｋｔ２（第２のタイトル鍵）をＫｍｂ（メディアユニーク鍵）で暗号化した暗号化タイトル鍵と、Ｃ′（変換後の映像音声信号）をＫｔ２（第２のタイトル鍵）で暗号化した暗号化データとが記録され、ムーブ元には、Ｋｔ３（第３のタイトル鍵）をＫｍａ（ムーブ元のメディアユニーク鍵）で暗号化した暗号化タイトル鍵を、さらにＫｍｂ（ムーブ先のメディアユニーク鍵）で暗号化した暗号化タイトル鍵と、Ｃ（元の映像音声信号）をＫｔ３（第３のタイトル鍵）で暗号化した暗号化データとが記録されている。この場合、ムーブ先では変換後の映像音声信号Ｃ′を利用できるが、ムーブ元では元の映像音声信号Ｃが利用できない。【００７０】
図８（Ｃ）及び図８（Ｄ）は更にムーブ後の暗号化タイトル鍵と暗号化データの記録状態を示す。図８（Ｃ）において、ムーブ元には、Ｋｔ３（第３のタイトル鍵）をＫｍａ（メディアユニーク鍵）で暗号化した暗号化タイトル鍵と、Ｃ（元の映像音声信号）をＫｔ３（第３のタイトル鍵）で暗号化した暗号化データとが記録され、ムーブ先からはデータが消去されている。図８（Ｄ）において、ムーブ先には、Ｋｔ４（第４のタイトル鍵）をＫｍｂ（ムーブ先のメディアユニーク鍵）で暗号化した暗号化タイトル鍵を、さらにＫｍａ（ムーブ元のメディアユニーク鍵）で暗号化した暗号化タイトル鍵と、Ｃ′（変換後の映像音声信号）をＫｔ４（第４のタイトル鍵）で暗号化した暗号化データとが記録され、ムーブ元には、Ｋｔ３（第３のタイトル鍵）をＫｍａ（ムーブ元のメディアユニーク鍵）で暗号化した暗号化タイトル鍵と、Ｃ（元の映像音声信号）をＫｔ３（第３のタイトル鍵）で暗号化した暗号化データとが記録されている。どちらの場合も、ムーブ元でしかデータを利用できない。【００７１】
以上のようにすることで、ＣＰＲＭ等でも元の装置にムーブしても、信号劣化することなく映像音声信号を利用することが可能となる。なお、本実施形態においては、暗号化タイトル鍵をムーブしているが、ＣＣＩをムーブすることや、暗号鍵とＣＣＩの両方をムーブすることでも、同様の効果を得ることができる。【００７２】
＜第２の実施形態＞
次に、「１世代のみコピー可」の時でも、複数のコピーを生成して良いときに適応可能な、あらかじめビットレートや符号化形式等を変換した映像音声信号を格納しておく実施形態について説明する。尚、本実施形態における記録装置の構成は図１に示した記録装置１０と同じである。【００７３】
図９は、本発明の第２の実施形態に係る記録装置１０の処理手順の一例を説明するためのフロー図である。本実施形態のステップＳ４１からステップＳ４４までは、図４に示したステップＳ１１からステップＳ１４と同様である。
記録装置１０は、ステップＳ４４で元の映像音声信号を暗号化した暗号化データを記録部２０に記録した後に、その元の映像音声信号をバッファ１７経由で変換部１９に入力する（ステップＳ４５）。そして、変換部１９にて、ビットレートや符号化方式等の変換を行い、変換結果をバッファ１７に書き込む（ステップＳ４６）。そして、その変換結果を暗号化部１５で暗号化する（ステップＳ４７）。本実施形態では、無変換のときと同じ暗号鍵で暗号化している。次に、暗号化したデータを記録部２０で記録する（ステップＳ４８）。次に、ライセンス生成部１８でライセンスを生成する（ステップＳ４９）。本実施形態において、変換前後の両方の映像音声信号に対して、ライセンスは同一のものを作成する。生成したライセンスは記録部２０に記録される（ステップＳ５０）。【００７４】
図１０は、本発明の第２の実施形態に係る記録装置１０の処理手順の他の例を説明するためのフロー図である。本例では、図９において変換前後の映像音声信号が記録されているときのムーブ動作について説明する。まず、記録装置１０は、ライセンスを取得する（ステップＳ５１）。次に、記録装置１０は、バッファ１７を介して記録部２０に記録されている暗号化された映像音声信号を取得する（ステップＳ５２）。次に、外部入出力Ｉ／Ｆ１１を介して、別の記録装置に変換後の映像音声信号をコピーする（ステップＳ５３）。映像音声信号のコピーが終了したら、同じく外部入出力Ｉ／Ｆ１１を介して、別の記録装置にライセンスをムーブする（ステップＳ５４）。別の記録装置では、該装置が備える外部入出力Ｉ／Ｆから映像音声信号とライセンスを入力し、バッファを介して記録部に、映像音声信号とライセンスを記録する。【００７５】
＜第３の実施形態＞
本実施形態では、入力部が、放送受信部でなく、リムーバブル記録媒体であるときの実施形態を説明する。本実施形態の基本的な構成は図１に示した記録装置１０と同様であるが、入力部１２において、放送の受信処理をするのではなく、リムーバブル記録媒体から読み込みを行うところが異なる。【００７６】
リムーバブル記録媒体が、セキュア領域にライセンスを保持する記録媒体の場合は、ライセンス中の利用制限にしたがって動作する。すなわち、複製可能回数が１回以上の場合は、映像音声データを複製するようにしても良い。複製可能回数が０回のときで、ムーブが許可されているときは、ムーブ動作を行う。そして、リムーバブル記録媒体に記録されたライセンスから、ライセンス生成部１８において、記録部２０に記録するライセンスを生成する。【００７７】
リムーバブル記録媒体が、ＣＰＲＭなどで記録されている場合は、利用制限にしたがって動作する。このときも、ライセンス生成部１８において、記録部２０に記録するライセンスを生成する。【００７８】
＜その他の実施形態＞
ここまでの実施形態において、ムーブ動作を行うときに、記録装置と別の記録装置において、映像音声信号の再生開始位置情報を記録可能にしておき、映像音声信号をコピーする際に、再生開始位置情報もコピーするようにしてもよい。例えば、記録装置に３０分の映像音声信号を記録しておき、１０分の位置まで視聴した場合に、再生開始位置は先頭から１０分のところとなるが、このときにムーブを行った場合、別の記録装置において、対応する映像音声信号の再生開始位置情報を先頭から１０分のところに設定するようにする。これにより、例えば記録装置が据え置き型、別の記録装置が携帯型であるときに、据え置き型の記録装置で途中まで見た後、携帯型の別の記録装置にムーブして視聴するときに、続きから視聴することが可能となる。
【００７９】
また、別の記録装置から元の記録装置にムーブするときも、再生開始位置情報もコピーするようにしても良いことは言うまでもない。また、別の記録装置にムーブするときの変換条件を記録装置に記録しておくように構成しても良い。これにより、利用者が毎回変換条件を選定する必要がなくなる。【００８０】
なお、ここまでの実施形態においては一段階のムーブのみを想定していたが、記録装置（記録媒体）が例えば３個ある場合に、順番に映像音声信号をムーブすることも可能である。これについて、下記の図１１を用いて簡単に説明する。【００８１】
図１１は、本発明の他の実施形態における映像音声信号とライセンスの流れの一例を説明するための図である。本実施形態では、ノーマル領域３及びセキュア領域４からなる記録媒体、ノーマル領域３′及びセキュア領域４′からなる第２の記録媒体に加えて、さらに、ノーマル領域３″及びセキュア領域４″からなる第３の記録媒体を備えている。【００８２】
まず、図１１（Ａ）において、一世代のみコピー可の映像音声信号を記録媒体に記録する。記録媒体には、映像音声信号Ｃと対応するライセンスＬが記録される。次に、図１１（Ｂ）において、第２の記録媒体に映像音声信号の変換とコピー及びライセンスのムーブが行われる。図１１（Ｂ）に記載の「レートを落としてムーブ」は、実施にはこのように、変換後の映像音声信号のコピーおよびライセンスのムーブを示す。第２の記録媒体には映像音声信号Ｃ′とライセンスＬ′が記録される。元の記録媒体からはライセンスＬが消去される。次に、図１１（Ｃ）において、第３の記録媒体に映像音声信号の変換とコピー及びライセンスのムーブが行われる。図１１（Ｃ）に記載の「レートを落としてムーブ」も、実際にはこのように、変換後の映像音声信号のコピーおよびライセンスのムーブを示すものである。図１１（Ｄ）において、第３の記録媒体には映像音声信号Ｃ″とライセンスＬ″が記録される。第２の記録媒体からはライセンスＬ′が消去される。なお、記録媒体が４個以上ある場合でも同様である。【００８３】
図１２は、本発明の他の実施形態における映像音声信号とライセンスの流れの他の例を説明するための図で、図１１に示した例の変形例を示す。図１２（Ａ）において、一世代のみコピー可の映像音声信号を記録媒体に記録する。記録媒体には、映像音声信号Ｃと対応するライセンスＬが記録される。次に、図１２（Ｂ）において、第２の記録媒体に映像音声信号の変換とコピー及びライセンスのムーブが行われる。図１２（Ｂ）に記載の「レートを落としてムーブ」は、実際にはこのように、変換後の映像音声信号のコピーおよびライセンスのムーブを示す。第２の記録媒体には映像音声信号Ｃ′とライセンスＬ′が記録される。元の記録媒体からはライセンスＬが消去される。次に、図１２（Ｃ）において、第３の記録媒体に映像音声信号の変換とコピー及びライセンスのムーブが行われるが、このときに、ライセンスＬ′は第２の記録媒体からムーブ、映像音声信号Ｃは元の記録媒体からコピーする。【００８４】
本方法は、第２の記録媒体に記録するより第３の記録媒体に記録するときのほうがビットレートが大きいときに有効である。なお、映像音声信号Ｃから映像音声信号Ｃ″を作る際に、一旦ライセンスＬ′を元の記録媒体にムーブしてから生成しても良いし、映像音声信号Ｃが階層的に符号化されているなど、ライセンスなしで暗号化したままビットレートだけを変更できる場合は、ライセンスＬ′を元に戻さず、作成してもよい。このようにして、図１２（Ｄ）において、第３の記録媒体に映像音声信号Ｃ″とライセンスＬ″が記録される。
【図１】
0004053074.tif 000002
【図２】
0004053074.tif 000003
【図３】
0004053074.tif 000004
【図４】
0004053074.tif 000005
【図５】
0004053074.tif 000006
【図６】
0004053074.tif 000007
【図７】
0004053074.tif 000008
【図８】
0004053074.tif 000009
【図９】
0004053074.tif 000010
【図１０】
0004053074.tif 000011
【図１１】
0004053074.tif 000012
【図１２】
0004053074.tif 000013
【図１３】
0004053074.tif 000014
【図１４】
0004053074.tif 000015
【図１５】
0004053074.tif 000016